(57)【要約】      （修正有）【課題】人間工学に合い、省力化でき、滑り止め効果を有する倍力滑り止めハサミを提供する。【解決手段】第１、第２刃体１，２と、第１、第２ハンドル部３，４と、枢着具５とを含む。両刃体１，２は、各々、互いに対向するハサミ端１１，２１と、連接端１２，２２とを有し、ハサミ端１１，２１には、各々、スライド溝が形成されている。第１ハンドル部３の第１端３１は、第１刃体１の連接端１２と連接し、第２ハンドル部４の第３端４１は、第２刃体２の連接端２２と連接する。枢着具５が、スライド溝を挿通することにより、第１、第２刃体１，２が相対的に施回する。【選択図】図１
0003180711.tif 000002
【実用新案登録請求の範囲】
【請求項１】
互いに対向する、第１ハサミ端と、第１連接端と、を有し、前記第１ハサミ端に第１刃が形成されており、前記第１ハサミ端と前記第１連接端の間には、屈折度を有する第１スライド溝が形成されている第１刃体と、
互いに対向する、第２ハサミ端と、第２連接端と、を有し、前記第２ハサミ端には、前記第１刃に対向する第２刃が形成されている第２刃体と、
互いに対向する、第１端と、第２端と、を有し、前記第１端が前記第１刃体の前記第１連接端と連接する第１ハンドル部と、
互いに対向する、第３端と、第４端と、を有し、前記第３端が前記第２刃体の前記第２連接端と連接する第２ハンドル部と、
前記第１スライド溝を挿通して前記第２刃体に回動可能に挿通することにより、前記第１刃体と前記第２刃体が相対的に旋回でき、前記第１スライド溝内の前記第１ハサミ端に近接する第１位置と前記第１スライド溝内の前記第１ハサミ端から遠ざかった第２位置との間に摺動可能である枢着具と、を含むことを特徴とする倍力滑り止めハサミ。
【請求項２】
前記第２ハサミ端と前記第２連接端の間には、屈折度を有する第２スライド溝が形成されており、前記第２スライド溝は前記第１スライド溝に平行せず、前記枢着具は、前記第２スライド溝内の前記第２ハサミ端に近接する第３位置と前記第２スライド溝内の前記第２ハサミ端から遠ざかった第４位置との間に摺動可能であることを特徴とする、請求項１に記載の倍力滑り止めハサミ。
【請求項３】
前記倍力滑り止めハサミは更に、前記第２刃体と前記第１ハンドル部の間に設けられる第３弾性具を含み、前記第３弾性具により、前記第１刃体と前記第２刃体は平常時に相対的に開けている状態にあることを特徴とする、請求項１または２に記載の倍力滑り止めハサミ。
【請求項４】
前記第１ハンドル部の前記第２ハンドル部から遠ざかった面に指窪みが複数設けられており、各前記指窪みは、前記第１ハンドル部の一側から、前記第１ハンドル部の外面を経由して前記第１ハンドル部の他側まで延びており、前記指窪みは、起点と、終点と、を有し、前記起点は、前記第１ハンドル部の一側に位置し、前記第１端に近接し、前記終点は、前記第１ハンドル部の他側に位置し、前記第２端に近接し、前記指窪みの延び方向は前記第１ハンドル部の延び方向に傾斜していることを特徴とする、請求項１に記載の倍力滑り止めハサミ。
【請求項５】
これらの前記指窪みは、数量が同じである、複数の左指窪みと、複数の右指窪みと、を含み、各前記左指窪みと前記右指窪みのうちの一つとは、互いに重ねるように設けられ、互いに反対する方向へ傾斜していることを特徴とする、請求項４に記載の倍力滑り止めハサミ。
【請求項６】
前記第２ハンドル部の前記第１ハンドル部から遠ざかった面に円弧形窪みが形成されており、前記円弧形窪みの輪郭は、握り拳を作っているときの母指球の輪郭に対応することを特徴とする、請求項１に記載の倍力滑り止めハサミ。
【考案の詳細な説明】
【技術分野】
【０００１】
本考案は、ハサミに関し、特に、人間工学に合い、省力化でき、滑り止め効果を有する倍力滑り止めハサミに関するものである。
【背景技術】
【０００２】
従来のハサミ９は、図１１に示すように、カッター９１、９２を有し、カッター９１は、互いに連接する、第１刃体９１１と、第１ハンドル部９１２と、を含み、カッター９２は、互いに連接する、第２刃体９２１と、第２ハンドル部９２２と、を含み、第１刃体９１１と第２刃体９２１とはそれぞれ刃を有する。第１刃体９１１と第２刃体９２１は、枢着具９３に挿通されて相対的に旋回できる。第１刃体９１１と第２刃体９２１の間にワークＡを置いて、第１ハンドル部９１２と第２ハンドル部９２２とを押圧することにより、ワークＡをせん断できる。
【０００３】
しかしながら、このせん断は、ワークＡの枢着具９３の近接する一端から始めるため、せん断しているときに、ワークＡは外側へ押えられてハサミ９から離脱しやすい。一方、第１刃体９１１と第２刃体９２１の間に、寸法がより大きいワークを置くことが困難であり、そしてせん断しているときに、ワークは外側へ押えられて枢着具から離れやすいため、より大きい力を加えないとワークをせん断できない。
【先行技術文献】
【特許文献】
【０００４】
【特許文献１】なし
【考案の概要】
【考案が解決しようとする課題】
【０００５】
そこで、考案の主な目的は、人間工学に合い、省力化でき、滑り止め効果を有する倍力滑り止めハサミを提供することにある。
【課題を解決するための手段】
【０００６】
本考案の倍力滑り止めハサミによると、互いに対向する、第１ハサミ端と、第１連接端と、を有し、第１ハサミ端に第１刃が形成されており、第１ハサミ端と第１連接端の間には、屈折度を有する第１スライド溝が形成されている第１刃体と、互いに対向する、第２ハサミ端と、第２連接端と、を有し、第２ハサミ端には、第１刃に対向する第２刃が形成されている第２刃体と、互いに対向する、第１端と、第２端と、を有し、第１端が第１刃体の第１連接端と連接する第１ハンドル部と、互いに対向する、第３端と、第４端と、を有し、第３端が第２刃体の第２連接端と連接する第２ハンドル部と、第１スライド溝を挿通して第２刃体に回動可能に挿通することにより、第１刃体と第２刃体が相対的に旋回でき、第１スライド溝内の第１ハサミ端に近接する第１位置と第１スライド溝内の第１ハサミ端から遠ざかった第２位置との間に摺動可能である枢着具と、を含むことを特徴とする。
【０００７】
本考案の倍力滑り止めハサミによると、第２ハサミ端と第２連接端の間には、屈折度を有する第２スライド溝が形成されており、第２スライド溝は第１スライド溝に平行せず、枢着具は、第２スライド溝内の第２ハサミ端に近接する第３位置と第２スライド溝内の第２ハサミ端から遠ざかった第４位置との間に摺動可能であることを特徴とする。
【０００８】
本考案の倍力滑り止めハサミによると、更に、第２刃体と第１ハンドル部の間に設けられる第３弾性具を含み、第３弾性具により、第１刃体と第２刃体は平常時に開けている状態にあることを特徴とする。
【０００９】
本考案の倍力滑り止めハサミによると、第１ハンドル部の第２ハンドル部から遠ざかった面に指窪みが複数設けられており、各指窪みは、第１ハンドル部の一側から、第１ハンドル部の外面を経由して第１ハンドル部の他側まで延びており、指窪みは、起点と、終点と、を有し、起点は、第１ハンドル部の一側に位置し、第１端に近接し、終点は、第１ハンドル部の他側に位置し、第２端に近接し、指窪みの延び方向は第１ハンドル部の延び方向に傾斜していることを特徴とする。
【００１０】
本考案の倍力滑り止めハサミによると、これらの指窪みは、数量が同じである、複数の左指窪みと、複数の右指窪みと、を含み、各左指窪みと右指窪みのうちの一つとは、互いに重ねるように設けられ、互いに反対する方向へ傾斜していることを特徴とする。
【００１１】
本考案の倍力滑り止めハサミによると、第２ハンドル部の第１ハンドル部から遠ざかった面に円弧形窪みが形成されており、円弧形窪みの輪郭は、握り拳を作っているときの母指球の輪郭に対応することを特徴とする。
【考案の効果】
【００１２】
本考案の倍力滑り止めハサミによれば、人間工学に合い、省力化でき、滑り止め効果を有するという効果を奏する。
【図面の簡単な説明】
【００１３】
【図１】本考案の実施例１の組合済み状態を示す斜視図である。
【図２】本考案の実施例１を示す分解斜視図である。
【図３】本考案の実施例１の作動を示す模式図である。
【図４】本考案の実施例２の作動を示す模式図である。
【図５】本考案の実施例２を示す正面図である。
【図６】本考案の実施例３の組合済み状態を示す斜視図である。
【図７】本考案の実施例３を示す側面図である。
【図８】本考案の実施例３の使用状態を示す模式図である。
【図９】本考案の実施例３の別の視点から見た使用状態を示す模式図である。
【図１０】本考案の実施例４を示す側面図である。
【図１１】従来のハサミを示す模式図である。
【図１２ａ】従来のハサミを示す模式図である。
【図１２ｂ】本考案の実施例５を示す模式図である。
【図１２ｃ】本考案の実施例１を示す模式図である。
【考案を実施するための形態】
【００１４】
以下、本考案の実施の形態を図面に基づいて説明する。
【００１５】
図１及び図２を参照する。図１は本考案の実施例１の組合済み状態を示す斜視図であり、図２は本考案の実施例１を示す分解斜視図である。本実施例の倍力滑り止めハサミは、第１刃体１と、第２刃体２と、第１ハンドル部３と、第２ハンドル部４と、枢着具５と、を含む。
【００１６】
第１刃体１は、互いに対向する、第１ハサミ端１１と、第１連接端１２と、を有する。第１ハサミ端１１に第１刃１３が形成されている。第１ハサミ端１１と第１連接端１２の間には、屈折度を有する第１スライド溝１４が形成されている。第２刃体２は、互いに対向する、第２ハサミ端２１と、第２連接端２２と、を有する。第２ハサミ端２１には、第１刃１３に対向する第２刃２３が形成されている。第２ハサミ端２１と第２連接端２２の間には、屈折度を有する第２スライド溝２４が形成されている。第２スライド溝２４は第１スライド溝１４に平行しない。本実施例では、第１スライド溝１４と第２スライド溝２４とは、ほぼ三日月の形にしており、第１スライド溝１４の曲率中心は第１連接端１２に近接する側に位置し、第２スライド溝２４の曲率中心は第２連接端２２に近接する側に位置する。もちろん、第１スライド溝１４の曲率中心は第１連接端１２から遠ざかった側に位置し、第２スライド溝２４の曲率中心は第２連接端２２から遠ざかった側に位置してもよい。
【００１７】
第１ハンドル部３は、互いに対向する、第１端３１と、第２端３２と、を有する。第１端３１は第１刃体１の第１連接端１２と連接する。第２ハンドル部４は、互いに対向する、第３端４１と、第４端４２と、を有する。第３端４１は第２刃体２の第２連接端２２と連接する。もちろん、第１ハンドル部と第１刃体が一体成形され、第２ハンドル部と第２刃体が一体成形されてもよい。また、第２ハンドル部４の第４端４２には、旋回可能なフックが設けられ、第２ハンドル部４には、前記フックの枢着箇所を通過し互いに平行しない二つの溝が形成されている。前記フックが第１ハンドル部３を係止しているときには、前記フックが前記溝のうちの一つに押付け、これにより、定位効果を増加できる。なお、前記フックが第１ハンドル部３を係止していないときには、前記フックが前記溝のうちの残りに押付け、これにより、前記フックは任意に揺動できなくなる。
【００１８】
枢着具５は、第１スライド溝１４と第２スライド溝２４とを挿通することにより、第１刃体１と第２刃体２が相対的に旋回できる。枢着具５は、第１スライド溝１４内の第１ハサミ端１１に近接する第１位置と第１スライド溝１４内の第１ハサミ端１１から遠ざかった第２位置との間に摺動可能である。枢着具５は、第２スライド溝２４内の第２ハサミ端２１に近接する第３位置と第２スライド溝２４内の第２ハサミ端２１から遠ざかった第４位置との間に摺動可能である。第１スライド溝１４の第１ハサミ端１１から遠ざかった側に第１突起が設けられる。第１弾性具１４１の一端が前記第１突起を嵌める。第２スライド溝２４の第２ハサミ端２１から遠ざかった側に第２突起が設けられる。第２弾性具２４１の一端が前記第２突起を嵌める。このように、第１弾性具１４１は第１スライド溝１４の壁と枢着具５の間に位置して、枢着具５は前記第１位置に移動する傾向があり、第２弾性具２４１は第２スライド溝２４の壁と枢着具５の間に位置して、枢着具５は前記第３位置に移動する傾向がある。これにより、平常時に、枢着具５は前記第１位置と前記第３位置とに保持される。
【００１９】
第１ハンドル部３の第２ハンドル部４から遠ざかった面に指窪み６が複数設けられている。各指窪み６は、第１ハンドル部３の一側から、第１ハンドル部３の外面を経由して第１ハンドル部３の他側まで延びている。指窪み６は、起点と、終点と、を有する。前記起点は、第１ハンドル部３の一側に位置し、第１端３１に近接する。前記終点は、第１ハンドル部３の他側に位置し、第２端３２に近接する。指窪み６の延び方向は第１ハンドル部３の延び方向に傾斜している。本実施例では、これらの指窪み６は、数量が同じである、複数の左指窪みと、複数の右指窪みと、を含む。前記各左指窪みと前記各右指窪みは、互いに反対する方向へ傾斜しており、前記各左指窪みと前記右指窪みのうちの一つとは、互いに重ねるように設けられ、これにより、両側がより広くて中央がより狭いという形態になる。このように、ユーザは、図７乃至図９に示すように、左手又は右手で本考案の倍力滑り止めハサミを握っても、各指窪み６に指の中段を快適に置くことができる。しかし、本考案の別の実施例では、これらの指窪みを左指窪み、又は右指窪みにしてもよい。例えば図１０に示すように、第１ハンドル部３ａの指窪み６ａは右指窪みの態様である。
【００２０】
また、第２ハンドル部４の第１ハンドル部３から遠ざかった面に円弧形窪み４３が形成されている。円弧形窪み４３の輪郭は、握り拳を作っているときの母指球の輪郭に対応する。このように、ユーザが第１ハンドル部３と第２ハンドル部４とを握っているときには、力を快適に加えることができ、全く痛くない。
【００２１】
また、第１刃体１、１ａの第１連接端１２にガイド円弧面１２１が形成されている。第２刃体２、２ａの第２刃から遠ざかった側にガイド凸部２５が形成されている。ガイド円弧面１２１は第１ハサミ端１１に向いている。ガイド凸部２５はガイド円弧面１２１に押付け可能である。ガイド円弧面１２１のスライドにより、枢着具５は前記第１位置に戻ることができる。
【００２２】
本考案の倍力滑り止めハサミが初期状態にあるときには、第２刃体２と第１ハンドル部３の間に設けられる第３弾性具３３、又は第１ハンドル部３と第２ハンドル部４の間に設けられる第４弾性具７により、図１及び図６に示すように、第１刃体１と第２刃体２は開けている状態にある。本考案の倍力滑り止めハサミによりワークをせん断しているときには、せん断力の反力により、第１刃体１と第２刃体２とが外側へ移動し、ひいては枢着具５が前記第２位置と前記第４位置に移動し、これにより、第１ハサミ端１１と第２ハサミ端２１が互いに近接して、第１刃１３と第２刃２３がワーク８を良く挟むことができ、ワーク８が枢着具５へ押えられる。枢着具５は、前記第２位置と前記第４位置に移動したときに、前記第１突起と前記第２突起とに止められて、第１刃体１と第２刃体２が交錯に変位できなくなるため、第１刃１３と第２刃２３がワーク８をせん断できる。ワーク８がせん断されたときには、反力がなくなって、枢着具５は、第１弾性具１４１と第２弾性具２４１との付勢により、前記第１位置と前記第３位置に戻る。上記の説明から明らかなように、せん断しているときには、ワーク８が枢着具５へ移動するため、ユーザはより小さい力でワーク８をせん断でき、省力化の効果を有する。
【００２３】
特に、図５に示すように、第１刃体１と第２刃体２は、反力を受けているときに、外側へ交錯に変位するため、第１刃１３と第２刃２３の間に、各寸法を有するワーク８ａ、８ｂ、８ｃを入れることができ、そしてせん断しているときに、ワーク８ａ、８ｂ、８ｃが枢着具５へ押えられるため、より大きいワーク８ａをせん断しても、ワーク８ａが外側に脱出できない。本考案の倍力滑り止めハサミを従来のハサミと比較する場合には、図１２ａに示す従来のハサミは、スライド溝を有せず、交錯にスライドできず、そして一つの刃が円弧形状を呈し、このような構成により、より大きいワーク８ａは、第１刃１３と第２刃２３の間に深く入れることができず、且つせん断しているときに、外側に脱出しやすい。図１２ｂに示すハサミは、スライド溝を有し、同じ形状を呈する刃を有し、このような構成により、より大きいワーク８ａは、刃同士の間に深く入れることができるが、せん断しているときに、外側に脱出する可能性がある。図１２ｃに示すハサミは、せん断しているときに、刃同士の形状により、ワークが外側に脱出できない。
【産業上の利用可能性】
【００２４】
本考案は、滑り止めハサミに適用することができる。
【符号の説明】
【００２５】
１，１ａ：第１刃体
２，２ａ：第２刃体
３，３ａ：第１ハンドル部
４：第２ハンドル部
５：枢着具
６，６ａ：指窪み
７：第４弾性具
８，８ａ，８ｂ，８ｃ：ワーク
９：ハサミ
１１：第１ハサミ端
１２：第１連接端
１３：第１刃
１４：第１スライド溝
２１：第２ハサミ端
２２：第２連接端
２３：第２刃
２４，２４ａ：第２スライド溝
２５：ガイド凸部
３１：第１端
３２：第２端
３３：第３弾性具
４１：第３端
４２：第４端
４３：円弧形窪み
９１：カッター
９２：カッター
９３：枢着具
１２１：ガイド円弧面
１４１：第１弾性具
２４１：第２弾性具
９１１：第１刃体
９１２：第１ハンドル部
９２１：第２刃体
９２２：第２ハンドル部
Ａ：ワーク
【図１】
0003180711.tif 000003
【図２】
0003180711.tif 000004
【図３】
0003180711.tif 000005
【図４】
0003180711.tif 000006
【図５】
0003180711.tif 000007
【図６】
0003180711.tif 000008
【図７】
0003180711.tif 000009
【図８】
0003180711.tif 000010
【図９】
0003180711.tif 000011
【図１０】
0003180711.tif 000012
【図１１】
0003180711.tif 000013
【図１２ａ】
0003180711.tif 000014
【図１２ｂ】
0003180711.tif 000015
【図１２ｃ】
0003180711.tif 000016